(57)【要約】【課題】  電気湯沸かし器の基本的構造上の問題から生じていた不具合である転倒時のお湯の漏れ出しを効果的に防止し得るようにする。【解決手段】  電気湯沸かし器において、容器本体１の上端部と下端部とを連結する形で設けられた把手部６を、前記容器本体１の側面に取り付けられた把手部本体６ａと該把手部本体６ａの外側を覆う把手部カバー６ｂとで構成するとともに、前記把手部本体６ａにおける前記容器本体１側端部と前記把手部カバー６ｂとの間にシール部材３３を設けて、転倒時に蓋体２側の蒸気排出通路２２ｂから蒸気導入空間２２ｆに流入するお湯および蒸気の一部が把手部カバー６ｂと把手部本体６ａとの間の隙間から漏れ出るのをシール部材３３の存在によって防止することができるようにしている。【選択図】        図４
2011254938.tif 000002
【特許請求の範囲】
【請求項１】
水を収容する内容器と、該内容器を収納一体化した容器本体と、該容器本体の上部にあって前記内容器上部の開口を閉蓋する着脱可能な蓋体と、前記容器本体の上端部と下端部とを連結する形で設けられた把手部と、前記内容器の底部に設けられた湯沸かしヒータを含む電装品と、前記蓋体に設けられた蓋体上方への蒸気排出通路と、前記把手部の上端部内にあって前記蓋体側の蒸気排出通路を通る蒸気の一部を導入する蒸気導入空間と、該蒸気導入空間に対応して設けられた沸騰検知スイッチとを備えて構成された電気湯沸かし器であって、前記把手部を、前記容器本体の側面に取り付けられた把手部本体と該把手部本体の外側を覆う把手部カバーとで構成するとともに、前記把手部本体における前記容器本体側端部と前記把手部カバーとの間にシール部材を設けたことを特徴とする電気湯沸かし器。
【請求項２】
前記シール部材を、前記沸騰検知スイッチの沸騰検知センサ部より上方に位置させたことを特徴とする請求項１記載の電気湯沸かし器。
【請求項３】
前記シール部材を、前記沸騰検知スイッチの上部を覆うスイッチカバーに取り付けたことを特徴とする請求項２および３のいずれか一項記載の電気湯沸かし器。
【請求項４】
前記蒸気導入空間に導入された蒸気を下方に導いて把手部下端部から外部へ排出する蒸気排出ダクトを付設するとともに、該蒸気排出ダクトの上端を、前記把手部本体の上端部から離れた位置に位置させたことを特徴とする請求項１、２および３のいずれか一項記載の電気湯沸かし器。
【発明の詳細な説明】
【技術分野】
【０００１】
本願発明は、電気湯沸かし器に関し、さらに詳しくは内容器底部に湯沸かしヒータを備え、簡易且つ速やかに湯沸かしを行うことができる電気湯沸かし器であって、把手部に沸騰検知機能を備えた電気湯沸かし器に関するものである。
【背景技術】
【０００２】
最近では、常時保温ヒータに通電しておくことが必要な電気ポットに代わって、内容器底部に湯沸かしヒータを備え、必要に応じて簡易且つ速やかに湯沸かしを行うことができるようにした電気湯沸かし器が、省エネ性の高い湯沸かし手段として重宝されている。
【０００３】
このような電気湯沸かし器は、一般に、水を収容する内容器と、該内容器を収納一体化した容器本体と、該容器本体の上部にあって前記内容器上部の開口を閉蓋する着脱可能な蓋体と、前記容器本体の上端部と下端部とを連結する形で設けられた把手部と、前記内容器の底部に設けられた湯沸かしヒータを含む電装品と、前記蓋体に設けられた蓋体上方への蒸気排出通路と、前記把手部の上端部内にあって前記蓋体側の蒸気排出通路を通る蒸気の一部を導入する蒸気導入空間と、該蒸気導入空間に対応して設けられた沸騰検知センサ（例えば、バイメタル）とを備えて構成されており、沸騰状態になると、前記沸騰検知センサが作動し、前記湯沸かしヒータへの電源供給を自動的に停止するようになっている（特許文献１参照）。
【０００４】
このように、従来の電気湯沸かし器においては、蓋体が容器本体に対して着脱できるようになっているため、沸騰検知センサへの通電が必要なところから、蓋体側の蒸気排出通路に直接沸騰検知センサを配設することができない。そこで、前記蓋体に対応する把手部上端部に蒸気導入空間を設けて沸騰検知に必要な量の蒸気を蒸気排出通路から分岐導入するとともに、前記蒸気導入空間部分に沸騰検知センサを設け、把手部内下方から延設した電源配線を介して同センサに通電するとともに、沸騰時の同センサの作動によって前記湯沸かしヒータへの電源供給を停止するようにしている。しかも、電気湯沸かし器においては、基本的に把手部が、容器本体の側面に形成された把手部本体と、該把手部本体の外側を覆う把手部カバーとからなっている。
【先行技術文献】
【特許文献】
【０００５】
【特許文献１】特開２００９−１７８５２５号公報。
【発明の概要】
【発明が解決しようとする課題】
【０００６】
ところが、上記した従来の電気湯沸かし器の場合、蓋体に対応する把手部上端部に蒸気導入空間を設けて沸騰検知に必要な量の蒸気を蒸気排出通路から分岐導入する構造となっているため、電気湯沸かし器が転倒した際に、蓋体の蒸気排出通路に内容器内のお湯が侵入すると、蓋体に対応する把手部上端部に設けられた蒸気導入空間にもお湯が侵入することとなる。このようにして侵入したお湯が、把手部（具体的には、把手部本体と把手部カバーとの嵌合部）から漏れ出るおそれがある。
【０００７】
この出願の発明は、このような事情に基づいてなされたもので、電気湯沸かし器の基本的構造上の問題から生じていた不具合である転倒時のお湯の漏れ出しを効果的に防止し得るようにすることを目的とする。
【課題を解決するための手段】
【０００８】
本願発明では、上記課題を解決するための第１の手段として、水を収容する内容器と、該内容器を収納一体化した容器本体と、該容器本体の上部にあって前記内容器上部の開口を閉蓋する着脱可能な蓋体と、前記容器本体の上端部と下端部とを連結する形で設けられた把手部と、前記内容器の底部に設けられた湯沸かしヒータを含む電装品と、前記蓋体に設けられた蓋体上方への蒸気排出通路と、前記把手部の上端部内にあって前記蓋体側の蒸気排出通路を通る蒸気の一部を導入する蒸気導入空間と、該蒸気導入空間に対応して設けられた沸騰検知スイッチとを備えて構成された電気湯沸かし器において、前記把手部を、前記容器本体の側面に取り付けられた把手部本体と該把手部本体の外側を覆う把手部カバーとで構成するとともに、前記把手部本体における前記容器本体側端部と前記把手部カバーとの間にシール部材を設けている。
【０００９】
上記のように構成したことにより、転倒時に蓋体側の蒸気排出通路から蒸気導入空間に流入するお湯および蒸気の一部が把手部カバーと把手部本体との間の隙間から漏れ出るのをシール部材の存在によって防止することができる。従って、把手部が熱くなるのを防止できるとともに、蓋体側の蒸気排出通路から蒸気導入空間に導入された蒸気の一部が漏れ出るのを防止できる分だけ、沸騰検知スイッチによる沸騰検知がし易くなる。
【００１０】
本願発明では、さらに、上記課題を解決するための第２の手段として、上記第１の手段を備えた電気湯沸かし器において、前記シール部材を、前記沸騰検知スイッチの沸騰検知センサ部より上方に位置させることもでき、そのように構成した場合、沸騰検知センサ部と接触する蒸気量を確保し易くなり、沸騰検知精度が向上する。
【００１１】
本願発明では、さらに、上記課題を解決するための第３の手段として、上記第１又は第２の手段を備えた電気湯沸かし器において、前記シール部材を、前記沸騰検知スイッチの上部を覆うスイッチカバーに取り付けることもでき、そのように構成した場合、シール部材によって沸騰検知スイッチの上方側への転倒時におけるお湯および蒸気の侵入を確実に防止することができる。
【００１２】
本願発明では、さらに、上記課題を解決するための第４の手段として、上記第１、第２又は第３の手段を備えた電気湯沸かし器において、前記蒸気導入空間に導入された蒸気を下方に導いて把手部下端部から外部へ排出する蒸気排出ダクトを付設するとともに、該蒸気排出ダクトの上端を、前記把手部本体の上端部から離れた位置に位置させることもでき、そのように構成した場合、把手部本体と該把手部本体が取り付けられた容器本体側部材との温度上昇を抑えることが可能となる。
【発明の効果】
【００１３】
本願発明の第１の手段によれば、水を収容する内容器と、該内容器を収納一体化した容器本体と、該容器本体の上部にあって前記内容器上部の開口を閉蓋する着脱可能な蓋体と、前記容器本体の上端部と下端部とを連結する形で設けられた把手部と、前記内容器の底部に設けられた湯沸かしヒータを含む電装品と、前記蓋体に設けられた蓋体上方への蒸気排出通路と、前記把手部の上端部内にあって前記蓋体側の蒸気排出通路を通る蒸気の一部を導入する蒸気導入空間と、該蒸気導入空間に対応して設けられた沸騰検知スイッチとを備えて構成された電気湯沸かし器において、前記把手部を、前記容器本体の側面に取り付けられた把手部本体と該把手部本体の外側を覆う把手部カバーとで構成するとともに、前記把手部本体における前記容器本体側端部と前記把手部カバーとの間にシール部材を設けて、転倒時に蓋体側の蒸気排出通路から蒸気導入空間に流入するお湯および蒸気の一部が把手部カバーと把手部本体との間の隙間から漏れ出るのをシール部材の存在によって防止することができるようにしたので、把手部が熱くなるのを防止できるとともに、蓋体側の蒸気排出通路から蒸気導入空間に導入された蒸気の一部が漏れ出るのを防止できる分だけ、沸騰検知スイッチによる沸騰検知がし易くなるという効果がある。
【００１４】
本願発明の第２の手段におけるように、上記第１の手段を備えた電気湯沸かし器において、前記シール部材を、前記沸騰検知スイッチの沸騰検知センサ部より上方に位置させることもでき、そのように構成した場合、沸騰検知センサ部と接触する蒸気量を確保し易くなり、沸騰検知精度が向上する。
【００１５】
本願発明の第３の手段におけるように、上記第１又は第２の手段を備えた電気湯沸かし器において、前記シール部材を、前記沸騰検知スイッチの上部を覆うスイッチカバーに取り付けることもでき、そのように構成した場合、シール部材によって沸騰検知スイッチの上方側への転倒時におけるお湯および蒸気の侵入を確実に防止することができる。
【００１６】
本願発明の第４の手段におけるように、上記第１、第２又は第３の手段を備えた電気湯沸かし器において、前記蒸気導入空間に導入された蒸気を下方に導いて把手部下端部から外部へ排出する蒸気排出ダクトを付設するとともに、該蒸気排出ダクトの上端を、前記把手部本体の上端部から離れた位置に位置させることもでき、そのように構成した場合、把手部本体と該把手部本体が取り付けられた容器本体側部材との温度上昇を抑えることが可能となる。
【図面の簡単な説明】
【００１７】
【図１】本願発明の実施の形態にかかる電気湯沸かし器の縦断面図である。
【図２】本願発明の実施の形態にかかる電気湯沸かし器の内容器底部における電源装置部分の配線構造等を示す底面図である。
【図３】本願発明の実施の形態にかかる電気湯沸かし器の要部を拡大した斜視図である。
【図４】本願発明の実施の形態にかかる電気湯沸かし器の要部を拡大した断面図である。
【図５】本願発明の実施の形態にかかる電気湯沸かし器における把持部カバーを取り外した状態を示す分解断面図である。
【図６】本願発明の実施の形態にかかる電気湯沸かし器の要部における把手部カバーを取り外した状態を示す拡大斜視図である。
【発明を実施するための形態】
【００１８】
以下、添付の図面を参照して、本願発明の好適な実施の形態について説明する。
【００１９】
図１ないし図６には、本願発明の実施の形態にかかる電気湯沸かし器が示されている。
【００２０】
この電気湯沸かし器は、図１および図２に示すように、水を収容して湯沸かしを行う内容器３を備えた容器本体１と、該容器本体１の上部開口を開閉する蓋体２と、前記内容器３の底部を加熱する加熱手段である湯沸かしヒータ４と、前記内容器３内のお湯を外部へ給湯するための湯注出口５ｂと、前記容器本体１の背部において上端側から下端側に延びる状態で取り付けられた側面略コ字状の把手部６とを備えて構成されている。
【００２１】
前記容器本体１は、底部１ｂを備えた合成樹脂製の円筒状ケース１ａよりなり、その上端側周囲に一体に設けられた環状の肩部材１ｃを介して前記内容器３を支持一体化している。
【００２２】
前記内容器３は、例えば１枚板構造のステンレス製の有底円筒形状の筒体からなっており、その底部３ａ下面に前記湯沸かしヒータ４が当接されている。
【００２３】
この場合、湯沸かしヒータ４は、中央部分がフラットな伝熱性の良いヒータプレート４ａと、該ヒータプレート４ａの外周部に一体に突設され、下向きに所定の高さを有し且つ断面逆台形状であって平面視Ｃ字形の電熱線埋設用の凸部４ｂと、該凸部４ｂ内に埋め込まれた電熱線４ｃとからなっている。そして、前記凸部４ｂの両端側には、前記電熱線４ｃの両端に接続された電源リード線接続用の電源リード端子７，８が、前記凸部４ｂの両端から所定の長さ突出する形で設けられている。
【００２４】
また、前記ヒータプレート４ａの下面側には、前記凸部４ｂの内周側に位置して、空焚き防止の安全用のバイメタル９，１０および電源基板１１，１２が設けられている。
【００２５】
前記電源基板１１，１２の前記把手部６側端部には、前記湯沸かしヒータ４両端の電源リード端子７，８と電源リード線Ｌ１，Ｌ２  Ｌ３を介して接続するための電源コネクタ端子１３，１４が設けられている。そして、そのうちの一方の電源コネクタ端子１４（電源基板１０に接続されている）は、電源リード線Ｌ１を介して、前記把手部６内の配線空間１５（後述する）を介して把手部６の上端側のスイッチレバー１６の開閉接点１６ａ、沸騰検知センサ１７のバイメタル開閉接点部とそれぞれ直列な関係で接続され、このバイメタル開閉接点部からは電源リード線Ｌ２を介して前記把手部６の配線空間１５内をＵターンして湯沸かしヒータ４の電源リード端子８に接続されている。また、電源基板１１側の電源コネクタ端子１３は、電源リード線Ｌ３を介して前記湯沸かしヒータ４の電源リード端子７に接続されている。
【００２６】
符号１８は卓上型の電源台であり、その中央部には、スリーブ構造の受電カプラ１９内に嵌合される同じくスリーブ構造の給電カプラ２０が所定の高さ突出して設けられている一方、裏面側にはＡＣ電源コードの収納部１８ａが設けられている。
【００２７】
前記給電カプラ２０は、スリーブ状のガイド筒１９ａに対応して、その内側に摺動可能に嵌合されるガイド筒２０ａと、該ガイド筒２０ａの内周側にあってスリーブ状電極１９ｂの内側にブラシ構造の電極を介して嵌合接触するスリーブ状電極２０ｂと、該スリーブ状電極２０ｂの内側にあって前記受電カプラ１９側の棒状電極２１が挿入される軸筒状電極２０ｃとからなっており、前記電源コード収納部１８ａのＡＣ電源コードがＡＣ電源に接続されると、前記電源台１８側の給電カプラ２０を介して前記容器本体１側の受電カプラ１９にＡＣ電源が供給され、さらに前記受電カプラ１９を介して前述の電源基板１１，１２の電源回路に電源が供給される。その結果、同電源回路を介して、さらに前記湯沸かしヒータ４、空焚き防止の安全用バイメタル９，１０、スイッチレバー１６の開閉接点１６ａ、沸騰検知スイッチ１７の沸騰検知センサ部１７ａにおけるバイメタル開閉接点部などに電源が供給されることになる。
【００２８】
一方、前記蓋体２は、合成樹脂製の上板２ａと該上板２ａに対して外周縁が結合された合成樹脂製の下板２ｂと、その下方に取り付けられた金属製（例えば、ステンレス製）の内カバー２ｃとからなっており、前記肩部材１ｃ内側の開口部に対して上下方向に着脱自在に嵌合されることとなっている。
【００２９】
前記上板２ａおよび下板２ｂ間の空間は、必要に応じて断熱材を充填した断熱構造体に形成されるとともに、下板２ｂの一部には、下方から上方に向けて凹んだ蒸気パイプの収納部が設けられている。そして、同収納部内に収納設置された蒸気パイプには、下方側内カバー２ｃの蒸気導入口部２ｄから上方側蒸気排出口２２ｃに向けて相互にジグザク構造に連通した蒸気排出通路２２ａ〜２２ｃが形成されている。そして、同蒸気排出通路２２ａ〜２２ｃ下部の蒸気導入口部２ｄ内には、転倒止水弁２３が設置されている。
【００３０】
また、それらのうちの中間に位置する前記蒸気排出通路２２ｂ部分は、さらに前記把手部６の上端側にあって沸騰検知スイッチ１７の沸騰検知センサ部１７ａが設置される蒸気導入空間２２ｆに蒸気を分流させるための蒸気分流通路２２ｄ，２２ｅが背面方向から下方に向けて設けられている。
【００３１】
そして、前記把手部６側の蒸気導入空間２２ｆの例えば上端面側に設けられた沸騰検知センサ部（バイメタル）１７ａの作動により内容器３内のお湯の沸騰を検知して、前記湯沸かしヒータ４への電源供給を遮断するようになっている。
【００３２】
一方、このようにして蒸気導入空間２２ｆに蒸気を導入するようにすると、同部分に導入した蒸気を外部へ排出することが必要であり、また当該部分で蒸気が結露して結露水を生ずることにもなるので、これを外部へ排出することが必要になる。そこで、上述した把手部６に対応する容器本体１の側壁部１ａの内側には、前記蒸気導入空間２１底部から把手部６下端の蒸気および結露水排出口２４に至る蒸気排出ダクト２５が設けられており、該蒸気排出ダクト２５内の蒸気排出通路（ストレート部２２ｇ、後方への曲成部２２ｈ）を介して蒸気および結露水が把手部６の下部から背面方向に向けて排出されるようになっている。
【００３３】
前記把手部６は、図３ないし図５に示すように、合成樹脂製の把手部本体６ａと該把手部本体６ａの外側を配線空間１５を介在させて覆う合成樹脂製の把手部カバー６ｂとからなっており、該把手部カバー６ｂの上端側には、前記スイッチレバー１６を臨ませる開口２６が形成されている。該スイッチレバー１６は、半透明あるいは透明な合成樹脂部材によって構成されており、その内部には、ネオンランプ２７が配設されている。該ネオンランプ２７は、湯沸かしヒータ４に電源が供給されている間だけ点灯されることとなっている。また、前記把手部６は、前述したように、前記容器本体１の背部において上端側から下端側に延びる状態で取り付けられた側面略コ字状の部材とされており、背面側に位置するストレート部がユーザが実際に把持する把持部６ｃとされている。
【００３４】
また、前記蒸気排出ダクト２５の上端は、前記把手部本体６ａの上端部から離れた位置に位置せしめられている。このようにすると、把手部本体６ａと該把手部本体お湯が取り付けられた容器本体側部材（例えば、肩部材１ｃ）との温度上昇を抑えることが可能となる。
【００３５】
そして、前記把手部本体６ａは、前記肩部材１ｃと一体に形成されており、前記把手部カバー６ｂの上端部には、下向きの取付部３５が一体に突設されている。
【００３６】
そして、前記沸騰検知スイッチ１７における沸騰検知センサ部１７ａは、前記蒸気導入空間２２ｆにおいて前側が高い斜め上向きに配設されている。また、前記スイッチレバー１６は、前記沸騰検知スイッチ１７の上部に配置されており、スイッチレバー１６は、前記沸騰検知センサ部１７ａと同様に斜め上向きに配置されている。しかも、前記把手部６の上端部は、前記蒸気導入空間２２ｆ側が高く、前記把手部６における把持部６ｃ側が低くなるように構成されている。また、前記沸騰検知スイッチ１７を取り付けるために前記蒸気導入空間２２ｆの下部に設けられるスイッチ受け２８の先端部には、前記蒸気導入空間２２ｆから前記蒸気排出ダクト２５に向かう蒸気経路の一部を狭める延出部２８ａが一体に形成されている。さらに、前記スイッチ受け２８の下面には、該スイッチ受け２８と前記把手部本体６ａとの間から蒸気導入空間２２ｆの蒸気が漏れ出るのを防止するためのリブ２９が一体に形成されている。
【００３７】
ところで、電気湯沸かし器が転倒した際に、蓋体２の蒸気排出通路２２ａ〜２２ｃに内容器３内のお湯が侵入すると、蓋体２に対応する把手部６上端部に設けられた蒸気導入空間２２ｆにもお湯が侵入することとなる。このようにして侵入したお湯の一部が、把手部６（具体的には、把手部本体６ａと把手部カバー６ｂとの嵌合部）から漏れ出るおそれがある。
【００３８】
そこで、本実施の形態においては、沸騰検知スイッチ１７をスイッチ受け２８に取り付けるためのスイッチカバー３１の前部に一体に突設された取付部３１ａに袋状のシール部材３３を被嵌し、この状態の取付部３１ａを前記肩部材１ｃの上端部に形成した固定部３６と前記把手部カバー６ｂの取付部３５との間に位置させてビス３７で締め付けるようにしている。このようにすると、電気湯沸かし器の転倒時に蓋体２側の蒸気排出通路２２ｂから分岐した蒸気分流通路２２ｄ，２２ｅを介して蒸気導入空間２２ｆへ流入するお湯および蒸気の一部が把手部カバー６ｂと把手部本体６ａとの間の隙間から漏れ出るのをシール部材３３の存在によって防止することができる。その結果、把手部６が熱くなるのを防止できるとともに、蓋体２側の蒸気排出通路２２ｂから蒸気導入空間２２ｆに導入された蒸気の一部が漏れ出るのを防止できる分だけ、沸騰検知スイッチ１７による沸騰検知がし易くなる。しかも、前記シール部材３３を、前記沸騰検知スイッチ１７を覆うスイッチカバー３１に形成した取付部３１ａに被嵌させたことにより、シール部材３３が沸騰検知センサ部１７ａより上方に位置することとなる。その結果、電気湯沸かし器の転倒時においても、沸騰検知スイッチの上方側への転倒時におけるお湯および蒸気の侵入を確実に防止することができるとともに、沸騰検知センサ部１７ａと接触する蒸気量を確保し易くなり、沸騰検知精度が向上する。
【００３９】
符号３０は蒸気導入空間２２ｆの背面側を閉塞するカバー部材、３２はスイッチレバー１６の操作力を伝達するための操作部材である。また、図１において、符号５ａは蓋体２側において前記湯注出口５ｂに対応して設けられた湯注出通路、３４はお湯の注出状態をロック・アンロックする機械式のロック・アンロックスイッチであり、該ロック・アンロックスイッチ３４が付勢スプリング３４ｂの反発力に抗して下方側に押し下げられると、弁体部材３４ａが所定ストローク下方に押し下げられ、蓋体２側と容器本体１の湯注出口５ｂ側との間の湯注出通路５ａを開放し、内容器３内のお湯の注出を可能とする。
【００４０】
上記のように構成したことにより、蓋体２側の蒸気排出通路２２ｂから分岐して蒸気導入空間２２ｆに導入されて蒸気排出ダクト２４に向かって流れる蒸気が沸騰検知スイッチ１７における沸騰検知センサ部１７ａと接触し易くなり、沸騰検知を速やかに行うことができる（即ち、沸騰検知精度が向上する）。しかも、蓋体２側の蒸気排出通路２２ｂから分岐して蒸気導入空間２２ｆに導入される蒸気量を増やす必要がなくなり、無駄な蒸気が減る（即ち、容器本体１が無駄に熱くならず、省エネとなる）。また、沸騰検知センサ部１７ａに接触した蒸気が結露した場合であっても、結露水が流れ落ち易くなり、連続して湯沸かしを行っても沸騰誤検知が起きることがなくなる。
【００４１】
本願発明は、上記各実施の形態に限定されるものではなく、発明の要旨を逸脱しない範囲において適宜設計変更可能なことは勿論である。
【符号の説明】
【００４２】
１は容器本体
２は蓋体
３は内容器
４は湯沸かしヒータ
６は把手部
６ａは把手部本体
６ｂは把手部カバー
６ｃは把持部
１６はスイッチレバー
１７は沸騰検知スイッチ
１７ａは沸騰検知センサ部
２２ａ，２２ｂ，２２ｃは蒸気排出通路
２２ｄ，２２ｅは蒸気分流通路
２２ｆは蒸気導入空間
２２ｇはストレート部
２２ｈは曲成部２１ｈ
２５は蒸気排出ダクト
３１はスイッチカバー
３１ａは取付部
３３はシール部材
【図１】
2011254938.tif 000003
【図２】
2011254938.tif 000004
【図３】
2011254938.tif 000005
【図４】
2011254938.tif 000006
【図５】
2011254938.tif 000007
【図６】
2011254938.tif 000008